(57)【特許請求の範囲】
【請求項１】
筐体と、
前記筐体に収容され、前記筐体に固定されるフレームと、
前記フレームに取り付けられた回路基板と、
前記回路基板に取り付けられた第１コネクタと、
電子部品と、
前記第１コネクタと係合し、かつ前記第１コネクタと電気的に接続され、かつ前記電子部品に接続された第２コネクタと、
前記フレームに係合し、前記第２コネクタを前記第１コネクタに対して押さえて前記第２コネクタの前記第１コネクタからの外れを防止する外れ防止部材と、を備える携帯端末。
【請求項２】
請求項１に記載の携帯端末であって、
前記筐体を第１筐体とし、
前記第１筐体に連結部を介して開閉可能に連結された第２筐体と、を備え、
前記電子部品は前記第２筐体の内部に配置された携帯端末。
【請求項３】
請求項１又は請求項２に記載の携帯端末であって、
前記外れ防止部材が前記第２コネクタを前記第１コネクタに対して弾性的に押える携帯端末。
【請求項４】
請求項１から請求項３のいずれか１項に記載の携帯端末であって、
前記フレーム及び前記外れ防止部材は導電性を有し、
前記外れ防止部材に設けられ前記第２コネクタに常時押し付けられるバネ接点と、
前記第２コネクタに設けられ前記バネ接点と導通するグランド用接点と、を備え、
前記グランド用接点は、前記バネ接点と前記外れ防止部材とを介して前記フレームに電気的に接続された携帯端末。
【請求項５】
請求項１から請求項４のいずれか１項に記載の携帯端末であって、
前記外れ防止部材に引っ掛け部を備え、
前記外れ防止部材が前記フレームから取り外された状態で前記第２コネクタを前記第１コネクタから取り外すときに、前記引っ掛け部が前記第２コネクタに引っ掛かる携帯端末。
【発明の詳細な説明】
【技術分野】
【０００１】
本発明は携帯端末に係り、例えば、連結部を介して開閉可能に連結された第１筐体と第２筐体とを有する携帯端末に関するものである。
【背景技術】
【０００２】
図５（Ａ）および（Ｂ）に示すように、従来より用いられている折り畳み式の携帯端末１では、例えば、第１筐体２と第２筐体３とが連結部４により開閉可能に連結されている。第１筐体２の内面２ａには、複数のキー２ｂを有する主操作部２ｃやマイク２ｄが設けられている。一方、第２筐体３の内面３ａには、主表示部３ｂやレシーバ３ｃ等が設けられており、外面３ｄには副表示部３ｅが設けられている。なお、図示はしないが、カメラを有しているものもある。
第１筐体２および第２筐体３は、一方に収容された回路基板のコネクタハウジングに対して、他方に収容された回路基板から延びるフレキシブル配線の先端に設けられたコネクタハウジングを連結することにより両筐体２、３は電気的に接続されている。
【０００３】
従来、筐体内に収容されているコネクタの連結状態を保持するために、筐体の裏側に設けたリブを一方のコネクタハウジングに当接させておくことにより、コネクタの浮き上がりや離脱を防止して、コネクタの接続を保持する構造が多用されている。
ところで、近年の携帯端末は小型化、薄型化が求められおり、これに対応して薄型化された電池が採用されている。薄型化された電池は、同等の機能を確保するために同等の体積が必要とされ、平面積（投影面積）が拡大される傾向にある。このような電池を薄型化とともに小型化が求められる携帯端末に収容するためには、前述したコネクタの配置箇所に対して重なるように電池を収容する場合がある。この場合、設置スペースの観点から、前述した筐体裏側のリブによりコネクタの接続状態を維持する構造が採用できず、携帯端末等を落としたりぶつけたりして瞬間的な衝撃を与えた場合や、経年変化によって２つのコネクタが外れたり浮き上がって電気的に断絶する可能性がある。
ところで、グランド部を備えたコネクタと、コネクタを機器の取付部に対して固定する締結部材と、機器の取付部とコネクタとを締結部材によって共締めすることで締結部材とグランド部とを電気的に接続するアース部材とを具備するコネクタ装置が提案されている（例えば特許文献１参照）。
【特許文献１】特開２００５-２３５５９２号公報
【発明の開示】
【発明が解決しようとする課題】
【０００４】
しかしながら、前述した特許文献１に記載のコネクタ装置は、外部から流入する静電気をグランド部に確実に流すことにより、機器の内部電気回路や電気部品の静電気による悪影響から防止することを目的としており、コネクタハウジングの接続状態を維持することを考慮したものではない。
【０００５】
本発明は、前述した問題点に鑑みてなされたものであり、その目的は、内部に含まれて接続されている２つのコネクタが電気的に断絶するのを防止することができる携帯端末を提供することにある。
【課題を解決するための手段】
【０００６】
前述した目的を達成するために、本発明にかかる携帯端末は、第１回路基板に設けられた第１コネクタに第２コネクタを係合させて電気的に接続した状態を保持するために、前記第１回路基板に連結されたフレームに係合して第２コネクタが第１コネクタから電気的に断絶するのを防止する外れ防止部材を有することを特徴としている。
【０００７】
このように構成された携帯端末においては、第１回路基板に設けられた第１コネクタと、第２コネクタとが係合されて電気的に接続されている。一方、外れ防止部材は、第１回路基板に連結されたフレームに係合して取り付けられる。このとき、外れ防止部材を第１コネクタと接続されている第２コネクタの外側に取り付けたので、第２コネクタが第１コネクタから外れたり浮き上がったりして電気的に断絶するのを防止することができる。
【０００８】
また、本発明にかかる携帯端末は、前記外れ防止部材が前記第２コネクタを前記第１コネクタに対して弾性的に押えていることを特徴としている。
【０００９】
このように構成された携帯端末においては、外れ防止部材が第１コネクタと接続されている第２コネクタを第１コネクタ側に付勢して弾性的に押えているので、第２コネクタが第１コネクタから外れたり浮き上がったりするのを確実に防止することができ、両コネクタが電気的に断絶するのを防止することができる。なお、弾性的に押えるとは、外れ防止部材が弾性部材で直接第２コネクタに接触してバネ力により押えたり、あるいはスポンジやゴム等の弾性部材を介して押えることを意味する。
【００１０】
また、本発明にかかる携帯端末は、前記外れ防止部材はその表層が導電性を有するとともに前記第２コネクタに常時押し付けられるバネ接点を有し、前記第２コネクタは前記バネ接点に導通するグランド用接点を有し、前記外れ防止部材がフレームに係止されることを特徴としている。
【００１１】
このように構成された携帯端末においては、外れ防止部材はバネ接点を常時第２のコネクタのグランド用接点に接した状態でフレームに係止されている。このとき、外れ防止部材の表層は導電性を有しているので、第２コネクタは外れ防止部材を介してフレームにアースされることになる。これにより、静電気による電子部品の不具合を解消することができる。なお、外れ防止部材の表層が導電性を有するとは、外れ防止部材の材質が金属のように導電性を有する場合、あるいは、材質は樹脂等の導電性がないものであるが、表面を導電性を有する金等の金属でメッキした場合等を意味するものである。
【００１２】
また、本発明にかかる携帯端末は、前記外れ防止部材が、前記フレームから取り外した状態で前記第２コネクタを前記第１コネクタから取り外すときに前記第２コネクタに引っ掛ける引っ掛け部を有することを特徴としている。
【００１３】
このように構成された携帯端末においては、フレームから取り外された状態の外れ防止部材の引っ掛け部を第２コネクタに引っ掛けて引っ張ることにより、容易に第２コネクタを取り外すことができ、作業性を向上させることができる。
【発明の効果】
【００１４】
本発明によれば、第２コネクタが第１回路基板の第１コネクタから電気的に断絶するのを防止する外れ防止部材を設けたので、従来のように、瞬間的な衝撃や経年変化によって第２コネクタが第１コネクタから外れたり浮き上がって電気的に断絶する場合があるという問題を解消でき、第１コネクタと第２コネクタとを電気的に確実に接続することができるという効果が得られる。
【発明を実施するための最良の形態】
【００１５】
以下、本発明に係る実施形態を図面に基づいて詳細に説明する。
図１は本発明の携帯端末に係る実施形態を示す分解斜視図、図２（Ａ）および（Ｂ）は外れ防止部材を取り付ける状態を示した斜視図、図３（Ａ）および（Ｂ）は外れ防止部材を取り付ける状態を示した断面図、図３（Ｃ）は図３（Ｂ）中Ｃ部分の拡大断面図、図３（Ｄ）は図３（Ｂ）中Ｄ部分の拡大説明図、図４（Ａ）は外れ防止部材を用いて第２コネクタを取り外す状態を示す斜視図、図４（Ｂ）は外れ防止部材を用いて第２コネクタを取り外す状態を示す断面図である。なお、図５において前述した部位については同じ符号を用いて、重複する説明を省略することとする。
【００１６】
図１に示すように、本発明の実施形態である携帯端末１０は、第１回路基板であるメイン基板１１に設けられた第１コネクタ１２に第２コネクタ１３を係合させて電気的に接続した状態を保持するために、メイン基板１１に連結されたフレーム１４に係合して第２コネクタ１３が第１コネクタ１２から電気的に断絶するのを防止する外れ防止部材２０を有している。
図１中、メイン基板１１およびフレーム１４は、第１筐体２（図５参照）に収容されている。
【００１７】
すなわち、メイン基板１１は第１筐体２（図５参照）の内部にフレーム１４を介して取り付けられており、メイン基板１１の上面１１ａに第１コネクタ１２が、接続端子（図示省略）を上方に向けて露出して取り付けられている。一方、第２コネクタ１３は、第２筐体３の主表示部３ｂ等の電子部品に接続されているフレキシブル基板１５の先端に設けられており、第２コネクタ１３を第１コネクタ１２に接続することにより、第２筐体３の内部の基板（図示せず）が第１筐体２の内部のメイン基板１１と電気的に接続されることになる。また、第２コネクタ１３の上面には、グランド用接点１３ａが設けられている。
【００１８】
メイン基板１１はフレーム１４ととものネジ等により第１筐体２に固定されている。フレーム１４の連結部４側端部には、第２コネクタ１３を収容するための空間を確保するために切欠き１１ｃが設けられている。
図３（Ａ）および（Ｂ）に示すように、フレーム１４の切欠き１１ｃには、外れ防止部材２０を係止するための、係止凹部１４ａおよび係止凸部１４ｂが設けられている。係止凸部１４ｂは、図３（Ｄ）に示すように、傾斜面１４ｃと水平面１４ｄから構成されている。なお、フレーム１４は金属性かあるいは少なくとも表層が導電性を有する構造となっている。
【００１９】
図１から図３に示すように、外れ防止部材２０は、矩形状の本体２１を有しており、本体２１から一方の外側（図１においては左上方）に向けてフレーム１４の係止凹部１４ｂに係止される係止突起２２が設けられている。また、本体２１の反対側には、本体２１に対してほぼ直角に折り曲げられて係止部２３が設けられており、係止部２３の内部にはフレーム１４の係止凸部１４ｂが嵌合する空間２３ａが設けられている。また、本体２１の中央部付近から係止突起２２側に向けて、下方に折り曲げられたバネ接点２４が設けられており（図３（Ｃ）参照）、第２コネクタ１３を押える際に第２コネクタ１３のグランド用接点１３ａに接触するようになっている。
【００２０】
また、外れ防止部材２０は、少なくともその表層が導電性を有している。すなわち、外れ防止部材２０を金属等の導電性部材で構成するか、あるいは、外れ防止部材２０を樹脂等の導電性を有しない材料で作成した後、表面を金属メッキするようにしてもよい。このとき、外れ防止部材２０は、第２コネクタ１３のグランド用接点１３ａよりも導電率が大きな金属でメッキするようにする。一般に、グランド用接点１３ａ等の接点には金が用いられることから、外れ防止部材２０も金メッキとするのがよいが、グランド用接点１３ａが銅である場合には、銅よりも導電性の大きな金属でメッキすればよい。
【００２１】
次に、第１コネクタ１２と第２コネクタ１３との接続動作について説明する。
第２コネクタ１３の接続端子と第１コネクタ１２の接続端子とを嵌合させて電気的に接続した後、第２コネクタ１３の上から外れ防止部材２０をフレーム１４に取り付ける（図２参照）。この際、第２コネクタ１３は第１コネクタ１２に対して弾性的に押えられることが望ましいので、例えば板状スポンジ１７を第２コネクタ１３と外れ防止部材２０との間に介在させるようにするのが望ましい。なお、板状スポンジ１７等の弾性部材を介在させる場合でも、外れ防止部材２０のバネ接点２４と第２コネクタ１３のグランド用接点１３ａとが電気的に接続するように凹部１７ａが設けられている。
【００２２】
従って、第２コネクタ１３の上面に板状スポンジ１７を敷き、その上から、図２（Ａ）中矢印Ａに示すようにして外れ防止部材２０の係止突起２２をフレーム１４の係止凹部１４ａに挿入する（図３（Ａ）参照）。その後、外れ防止部材２０を、係止突起２２を中心として図２（Ｂ）中矢印Ｂ方向に回動させて、係止部２３の空間２３ａにフレーム１４の係止凸部１４ｂを嵌合させて係止する（図３（Ｂ）参照）。このとき、図３（Ｄ）に示すように、係止凸部１４の傾斜面１４ｃに沿って係止部２３を下降させ、水平面１４ｄを空間２３ａに嵌合させて係止するので、容易且つ確実に係止することができる。
この後、外れ防止部材２０を覆うように、サブ基板１６をフレーム１４に取り付ける。
【００２３】
なお、外れ防止部材２０を用いて、第１コネクタ１２に接続している第２コネクタ１３を取り外す治具として使用することができる。すなわち、図４（Ａ）および（Ｂ）に示すように、外れ防止部材２０の係止部２３を引っ掛け部として、第１コネクタ１２に接続している第２コネクタ１３に引っ掛けて上方へ引っ張ることにより、第２コネクタ１３を第１コネクタ１２から容易に取り外すことができる。
【００２４】
以上、このように構成された携帯端末１０においては、外れ防止部材２０を第１コネクタ１２と接続されている第２コネクタ１３の上に取り付けることにより、第２コネクタ１３が第１コネクタ１２から外れたり浮き上がったりして電気的に断絶するのを防止することができる。このとき、外れ防止部材２０が第１コネクタ１２と接続されている第２コネクタ１３を第１コネクタ１２側に付勢して弾性的に押えているので、一層確実に第２コネクタ１３が第１コネクタ１２から外れたり浮き上がったりするのを防止することができる。
また、導電性を有する外れ防止部材２０が、バネ接点２４を常時第２のコネクタ１３のグランド用接点１３ａに接した状態でフレーム１４に係止されることになるので、第２コネクタ１３は外れ防止部材２０を介してフレーム１４ににアースされることになり、静電気による電子部品の不具合を解消することができる。
【００２５】
なお、本発明の携帯端末は、前述した実施形態に限定されるものでなく、適宜な変形，改良等が可能である。
例えば、前述した実施形態においては、第２コネクタ１３を弾性的に押える手段として弾性部材として板状スポンジ１７を用いたが、その他の弾性部材を用いることもできる。さらに、弾性部材を用いることなく、外れ防止部材２０によって直接第２コネクタ１３を弾性的に押えるようにすることもできる。
【産業上の利用可能性】
【００２６】
以上のように、本発明に係る携帯端末は、第２コネクタが第１回路基板の第１コネクタから電気的に断絶するのを防止する外れ防止部材を設けたので、従来のように、瞬間的な衝撃や経年変化によって第２コネクタが第１コネクタから外れたり浮き上がって電気的に断絶する場合があるという問題を解消でき、第１コネクタと第２コネクタとを電気的に確実に接続することができるという効果を有し、例えば連結部を介して開閉可能に連結された第１筐体と第２筐体とを有する携帯端末等として有用である。
【図面の簡単な説明】
【００２７】
【図１】本発明の携帯端末に係る１実施形態を示す分解斜視図である。
【図２】（Ａ）および（Ｂ）は外れ防止部材を取り付ける状態を示した斜視図である。
【図３】（Ａ）および（Ｂ）は外れ防止部材を取り付ける状態を示した断面図である。  （Ｃ）図３（Ｂ）中Ｃ部分の拡大断面図である。  （Ｄ）図３（Ｂ）中Ｄ部分の拡大断面図である。
【図４】（Ａ）は外れ防止部材を用いて第２コネクタを取り外す状態を示す斜視図である。  （Ｂ）は外れ防止部材を用いて第２コネクタを取り外す状態を示す断面図である。
【図５】（Ａ）は従来より一般的な折り畳み式の携帯端末の内側を示す斜視図である。  （Ｂ）は従来より一般的な折り畳み式の携帯端末の外側を示す斜視図である。
【符号の説明】
【００２８】
２  第１筐体（金属筐体）
１０  携帯端末
１１  メイン基板（第１回路基板）
１２  第１コネクタ
１３  第２コネクタ
１３ａ  グランド用接点
１４  フレーム
２０  外れ防止部材
２３  係止部（引っ掛け部）
２４  バネ接点
【図１】
0004579141.tif 000002
【図２】
0004579141.tif 000003
【図３】
0004579141.tif 000004
【図４】
0004579141.tif 000005
【図５】
0004579141.tif 000006